(57)【要約】【課題】  ねじ込み対象物にねじ込むときに発生する切削屑が詰まることを抑制し、この切削屑を順調に排出することができるタッピンねじを提供する。【解決手段】  タッピンねじは、頭部１、軸部１１および先端部１２から構成されている。先端部１２および軸部１１の両方あるいは一方は、切削面２を有している。切削面２は、溝を持つことなく平面または曲面に形成されている。そのため、切削屑を詰まらせず順調に排出することができる。【選択図】図２
0003172847.tif 000002
【実用新案登録請求の範囲】
【請求項１】
頭部と、軸部と、先端部とを備え、
前記軸部は、外壁に螺旋状のねじ山を有し、
前記先端部は、前記軸部の前記ねじ山に連続する螺旋状のねじ山を有するとともに、平面状または曲面状の切削面を有することを特徴とするタッピンねじ。
【請求項２】
前記切削面は、前記軸部の軸心に対し傾斜しつつ前記先端部の先まで延びていることを特徴とする請求項１記載のタッピンねじ。
【請求項３】
頭部と、軸部と、先端部とを備え、
前記軸部は、外壁に螺旋状のねじ山を有するとともに、平面状または曲面状の切削面を有することを特徴とするタッピンねじ。
【請求項４】
頭部と、軸部と、先端部とを備え、
前記軸部および前記先端部は、螺旋状のねじ山を有するとともに、平面状または曲面状の切削面を有することを特徴とするタッピンねじ。
【請求項５】
前記切削面は、前記軸部の軸心に対し傾斜しつつ前記先端部の先まで延びていることを特徴とする請求項４記載のタッピンねじ。
【考案の詳細な説明】
【技術分野】
【０００１】
本考案は、タッピンねじに関する。
【背景技術】
【０００２】
従来、ねじ込み対象物を切削しつつねじ立てしながら当該ねじ込み対象物にねじ込まれるタッピンねじが公知である。この従来のタッピンねじは、一対の切削壁からなる溝を先端部に有する。この溝は、先端部が周方向で１／４カットされてなる。
【考案の概要】
【考案が解決しようとする課題】
【０００３】
上記タッピンねじをねじ込み対象物にねじ込むとき、ねじ込み対象物が削れることで切削屑が発生する。タッピンねじは、ねじ込み対象物との間の隙間から切削屑が排出されることで、ねじ込み対象物に円滑にねじ込むことができる。
【０００４】
ところが、従来のタッピンねじでは、一方の切削壁の刃で削られた切削屑が他方の切削壁に衝突し、次々に発生する複数の切削屑が先端部の溝内で相互に押し合ってしまう。その結果、切削屑が順調に排出されず、先端部の溝内に詰まるという問題があった。
【０００５】
本考案は、このような点に鑑みてなされたものであり、その目的は、ねじ込み対象物にねじ込むときに発生する切削屑が詰まることを抑制し、切削屑を順調に排出することができるタッピンねじを提供することにある。
【課題を解決するための手段】
【０００６】
本考案によるタッピンねじは、先端部および軸部の両方または一方に切削面を有する。この切削面は、溝を持たないように平面又は曲面に形成されるので、切削屑を詰まらせず順調に排出することができる。
先端部および軸部の両方が切削面を有する場合、切削屑の排出はさらに順調になり、従来のタッピンねじのように切削屑が詰まることを抑制することができる。
【図面の簡単な説明】
【０００７】
【図１】本考案の第１実施形態によるタッピンねじの側面図である。
【図２】図１の右側面図である。
【図３】本考案の第２実施形態によるタッピンねじの側面図である。
【図４】図３の左側面図である。
【図５】本考案の第２実施形態の変形例によるタッピンねじの側面図である。
【図６】本考案の第３実施形態によるタッピンねじの側面図である。
【図７】図６の右側面図である。
【図８】本考案の第３実施形態の変形例によるタッピンねじの側面図である。
【図９】本考案の第４実施形態によるタッピンねじの側面図である。
【図１０】図９の左側面図である。
【図１１】図９の右側面図である。
【図１２】本考案の第５実施形態によるタッピンねじの側面図である。
【図１３】本考案の第６実施形態によるタッピンねじの側面図である。
【図１４】本考案の第７実施形態によるタッピンねじの側面図である。
【図１５】本考案の第８実施形態によるタッピンねじの側面図である。
【図１６】本考案の第９実施形態によるタッピンねじの側面図である。
【図１７】図１６の右側面図である。
【考案を実施するための形態】
【０００８】
以下、本考案の複数の実施形態を図面に基づいて説明する。実施形態同士で実質的に同一の構成には同一の符号を付して説明を省略する。
本考案のタッピンねじは、図１および図２に示す第１実施形態、図３および図４に示す第２実施形態、図５に示す第２実施形態の変形例、図６および図７に示す第３実施形態、図８に示す第３実施形態の変形例、図９〜図１１に示す第４実施形態、図１２に示す第５実施形態、図１３に示す第６実施形態、図１４に示す第７実施形態、図１５に示す第８実施形態、図１６および図１７に示す第９実施形態等がある。
【０００９】
上記各実施形態によるタッピンねじが共同に持つ特徴は、頭部１、軸部１１および先端部１２から構成され、先端部１２および軸部１１の一方あるいは両方が切削面２を有している点である。切削面２は、平面または緩やかな曲面に形成されている。先端部１２の先は尖り先である。
【００１０】
図１〜図５に示すように、第１実施形態、第２実施形態、及び、第２実施形態の変形例では、先端部１２が切削面２を有している。
この切削面２は、図２、図４および図５に示すように、軸部１１の軸心に対し傾斜しつつ先端部１２の先まで延びるように形成されている。この切削面２は１つだけ形成され、第１実施形態および第２実施形態では平面であり、第２実施形態の変形例では曲面である。
【００１１】
図６〜図１７に示すように、第３実施形態〜第９実施形態、及び、第３実施形態の変形例では、先端部１２が１つの切削面２を有し、軸部１１が少なくとも１つの切削面２を有している。
図７、図８、図１０、図１１および図１７に示すように、先端部１２が有する切削面２は、軸部１１の軸心に対し傾斜しつつ先端部１２の先まで延びるように形成されている。先端部１２が有する切削面２は、第３実施形態〜第９実施形態では平面であり、第３実施形態の変形例では曲面である。
また、軸部１１が有する切削面２は、第３実施形態〜第６実施形態、第３実施形態の変形例、及び、第８実施形態〜第９実施形態では曲面であり、第７実施形態では平面である。
【００１２】
図１〜図１１、及び、図１５に示すように、第１実施形態〜第４実施形態、第３実施形態の変形例、及び、第８実施形態では、軸部１１および先端部１２の外壁が１つの螺旋状のねじ山１３を形成している。このねじ山１３は、先端部１２の先まで延びている。
【００１３】
図１２〜図１４、図１６および図１７に示すように、第５実施形態〜第７実施形態、及び、第９実施形態では、軸１１および先端部１２の外壁が、１つの螺旋状のねじ山１３と１つの螺旋状の切削ねじ山１４とを形成している。上記ねじ山１３は、軸部１１、又は、軸部１１および先端部１２に跨って形成される。切削ねじ山１４は、先端部１２、又は、軸部１１および先端部１２に跨って形成され、先端部１２の先まで延びるように形成されている。切削ねじ山１４は、ねじ山１３よりもピッチの荒い。
【００１４】
本考案の各実施形態によるタッピンねじは、軸部１１および先端部１２の両方または一方に、平面或いは曲面からなる切削面２を有するので、タッピンねじをねじ込むときに発生する切削屑がタッピンねじとねじ込み対象物との隙間に詰まることはなく、順調に排出されるという効果が得られる。
【００１５】
以上、本考案は、上述した実施形態に何ら限定されるものではなく、その趣旨を逸脱しない範囲において種々の形態で実施可能である。例えば、先端部１２の先は尖り先でなくてもよい。
【符号の説明】
【００１６】
１  ・・・頭部
１１・・・軸部
１２・・・先端部
１３・・・ねじ山
１４・・・切削ねじ山
２  ・・・切削面
【図１】
0003172847.tif 000003
【図２】
0003172847.tif 000004
【図３】
0003172847.tif 000005
【図４】
0003172847.tif 000006
【図５】
0003172847.tif 000007
【図６】
0003172847.tif 000008
【図７】
0003172847.tif 000009
【図８】
0003172847.tif 000010
【図９】
0003172847.tif 000011
【図１０】
0003172847.tif 000012
【図１１】
0003172847.tif 000013
【図１２】
0003172847.tif 000014
【図１３】
0003172847.tif 000015
【図１４】
0003172847.tif 000016
【図１５】
0003172847.tif 000017
【図１６】
0003172847.tif 000018
【図１７】
0003172847.tif 000019